(57)【要約】【課題】特殊な専門技術を必要とせずに、短時間にねじ込み方向の一方向だけで固定でき、容易に比較的小さい力で、恒久的に緩みなく安定的に骨の接合と脱着ができるラグスクリュウを提供すること。【解決手段】ねじ込みによりネイルとラグスクリュウとを固定する構造にあって、ラグスクリュウの接合骨部分との噛合い部分を円周外方向にテーパーにより滑り拡張させる機構のフィンを備えることによって、被手術者のいかなる身体の自由運動においても恒久的に緩みなくロックできるラグスクリュウ構造を提供することを特徴とする。【選択図】図７
2014030686.tif 000002
【特許請求の範囲】
【請求項１】
ラグスクリュウを構成するラグスクリュウ本体を二条ねじ込みで押し込むことにより、ネイルとラグスクリュウを固定する固定構造であって、ラグスクリュウ本体とネイルの組立体の装着完了後にこれらの組立体構造が接合骨に対して恒久的に緩まない緩み止めを有することを特徴とするラグスクリュウの緩み止め機構。
【発明の詳細な説明】
【技術分野】
【０００１】  この発明は、主に大腿骨骨折の骨接合手術に使用するインプラント用のネイルとラグスクリュウとの固定構造におけるラグスクリュウの緩み止め機構に関する。
【背景技術】
【０００２】  従来から、ラグスクリュウを構成するストッパー・スクリュウのねじ込みによる押し込み力により、ネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【特許文献３】  特許出願  特願２０１２−１２８３７７
【発明の開示】
【発明が解決しようとする課題】
【０００３】  しかしながら、上記の従来の固定構造によると、接合骨との装着後の組立体の安定性が良くなく、ぐらついたり、あるいはラグスクリュウ本体が軸方向に自然に進んだり、あるいは接合骨の成長により骨に対して緩むといった問題がある。【０００４】  この発明は上記事情に鑑みてなされたものであり、ネイルとラグスクリュウが安価に製作でき、しかも容易に短時間でかつ高い安定性を有して固定できるネイルとラグスクリュウの固定構造と同時に、ラグスクリュウ本体が接合骨に対して恒久的に緩まない機構を提供することを目的とする。
【課題を解決するための手段】
【０００５】  この発明は、上記課題を解決するため、以下の手段を採用する。
この発明に係るネイルとラグスクリュウとの固定構造はラグスクリュウの二条ねじのねじ込み先端と反対側の三葉以上の複数形凹面溝への回し工具の差込み・ねじ込みによる押し込み力により、ネイルとラグスクリュウとを固定する固定構造であって、二条ねじのラグスクリュウの先端外周辺にフィンが滑り噛合いする上下の二つの溝を備え、さらにラグスクリュウの先端内周辺にテーパー形芯金がねじ結合され、さらにこのフィンが付いたジョイント機構を押し移動させるドローバーとの組み合わせによって構成され、この組合せによるフィンの接合骨への食付きにより、ラグスクリュウ本体が接合骨に対して周辺方向にも軸方向にも動かず緩まないことを特徴とする。【０００６】  上記のような構成によるラグスクリュウとテーパー芯金とフィンを備えるジョイント機構およびドローバーの組合せ機構は、ラグスクリュウ本体のねじ込み方向先端部にテーパー芯金とフィンを配置することによって構成され、ラグスクリュウ本体が回し工具で三葉形凹面溝に合わせてネイルにねじ込まれた後で、ドローバーの後端にあるコレット用の三葉形凹面溝に回し工具を差し込んでドローバーを回転することにより、ジョイント機構を介してフィンがテーパー芯金の上をＴ形などの溝に沿って左の方向に移動してラグスクリュウの先端部の外側円周方向に突き出て接合骨に強制的に食付くので、接合骨とラグスクリュウの間において周辺方向にも軸方向にも動きなく緩まない高い静止安定性を保持することを特徴とする。
【発明の効果】
【０００７】  以上のように、本発明に係るラグスクリュウとテーパー芯金とフィンを備えるジョイント機構およびドローバーの組合せ機構は、接合骨とラグスクリュウとが容易に、短時間に、かつ、高度な安定性を有してねじ込み方向の一方向だけで緩み止めでき、熟練した技術を必要とせずに骨接合手術を安全に行うことができる利点がある。
【発明を実施するための最良の形態】
【０００８】  この発明に係る一実施形態について、図１、図２、図３、図４、図５、図６、図７を参照して説明する。【０００９】  図１はこの実施例に係るネイル（図示せず）に挿入されるラグスクリュウ１とテーパー芯金５とフィン７を備えるジョイント機構３およびドローバー２の組合せ機構の全体図を断面表示したものであり、図２は図１のＡ−Ａ断面図を表し、図３は図１のＢ−Ｂ断面図を表し、図４は図１のＣ−Ｃ断面図を表し、図５は図１のＤ−Ｄ断面図を表し、図６は図１のＥ−Ｅ断面図を表し、図７は図１のＦ−Ｆ断面図を表わす。【００１０】  この実施例に係るラグスクリュウ１は図１に示されるように、ドローバー２とフィン７を含むフィン取付部材４を取付けたジョイント機構３およびテーパー芯金５の組立体を回し工具を三葉型凹面溝９に差し込んで回すことにより、ドローバー２が図１のラグスクリュウ１の進み方向と同じ方向に移動すると、テーパー芯金５のテーパー面上に滑り噛合いするフィン取付部材４のフィン７が左方に動くと同時にラグスクリュウ１の上面に突き出て、従ってフィン７がラグスクリュウ１のフィン用溝１−１に滑り噛合いしながら接合骨に食い込む構造のものである。【００１１】  ラグスクリュウ１は、図１から図７に示されるように、フィン７を受け入れて滑り噛合いするフィン用溝１−１を備える先端部材とねじ込み工具用の三葉形凹面溝９を有する後端部材を一体的に含むラグスクリュウ１、およびドローバー２との噛合いのために形成されるねじ部１１から構成される。【００１２】  図１に見られるように、ドローバー２のジョイント機構３を介してのラグスクリュウ１の先端の噛合い部は外周の上下２か所にフィン用溝１−１を有し、三葉形凹面溝１０に回し工具を差し込んでドローバー２が回される時に、ジョイント機構３にピンなどで結合されるフィン取付部材４がテーパー芯金５のフィン用Ｔ形などの溝５−２に沿って進むと同時に周辺方向に張り出して接合骨に食い込み、従って、緩み止めの効果を発揮する。【００１３】  ラグスクリュウ１の後端部には図７に示されるようにねじ込み工具が差し込まれ、摩擦接触面が大きく取れる三つ以上の葉形凹面溝９が備えられると共にラグスクリュウの抜けを防止するためのサークリップ８が備えられる。【００１４】  この発明によれば、ラグスクリュウ１のネイル（図示せず）への装着後には、この組立体はこのラグスクリュウ１とテーパー芯金５とフィン取付部材４を備えるジョイント機構３およびドローバー２の組合せによるテーパー押し作用により、接合骨に対して恒久的に緩むことなく、被手術者の自然の運動によっても常に安定な静止状態を保持し、その上、着脱時には無理な力を掛けずに、骨にも負担を掛けずに取り外すことができる。【００１５】  ジョイント機構３は図４に示されるようにフィン取付部材４とピン１２などで結合し、ドローバー２の回転運動をフィン取付部材４の往復滑り運動に伝えると同時に、図５に示されるようにドローバー２と回転的に結合する。【００１６】  テーパー芯金５は左側外周に形成される雄ねじ部とラグスクリュウ１の左側内周に形成される雌ねじ部と結合されてラグスクリュウ１に固定される。さらに、ラグスクリュウ１の最外側端面にはテーパー芯金５の外側面を覆うように、回し工具用三葉形凹面溝６−２を備えるカバー６がねじ込み装着される。【００１７】  なお、この発明の技術範囲は上記実施の形態に限定されるものではなく、本発明の趣旨を逸脱しない範囲において種々の変更を加えることが可能である。
【産業上の利用可能性】
【００１８】  この発明によるラグスクリュウの利用により、特殊な専門技術を必要とせずに、ねじ込み方向の一方向だけで短時間に固定でき、容易に比較的軽い力で、緩みなく安定的に骨の接合維持および脱着を行うことができる。
【図面の簡単な説明】
【００１９】
【図１】この発明の一実施形態に係るラグスクリュウ１とドローバー２の組合せ構造を説明するためのシステム構成図であり、ドローバー２の縦軸線から上の断面は最初の組合せ取付位置を示し、下の断面はドローバー２が回転により図面の左方向に押されて、ラグスクリュウ１との滑り噛合いでフィン７がラグスクリュウ１のフィン用溝１−１に挿入された、緩み止めされる位置を示す。
【図２】この発明の一実施形態に係るラグスクリュウ１の前部のテーパー芯金５およびテーパー芯金用カバー６との噛合い関係を示す詳細図である。
【図３】この発明の一実施形態に係るテーパー芯金５に取付くフィン取付部材４が滑り噛合いするためのＴ形などの溝５−２およびフィン７がラグスクリュウ１のフィン用溝１−１に挿入される状態を示す詳細図である。
【図４】この発明の一実施形態に係るジョイント機構３とフィン取付部材４がピン１２などで結合される状態の詳細図である。
【図５】この発明の一実施形態に係るジョイント機構３とドローバー２の結合を示す詳細図である。
【図６】この発明の一実施形態に係る回し工具が差し込まれるドローバー２用の三葉形凹面溝１０、ラグスクリュウ１とねじ結合するドローバー２の雄ねじ１１、およびラグスクリュウ１のスリーブとの噛合い溝１−２を表す詳細図である。
【図７】この発明の一実施形態に係るラグスクリュウ１の後部端面のねじ込み工具の差込みのための三葉形凹面溝９とラグスクリュウ１の抜け止めのためのサークリップ８の詳細図である。
【符号の説明】
【００２０】１  ラグスクリュウ
１−１  フィン用溝
１−２  スリーブとの噛合い溝
２  ドローバー
３  ジョイント機構
４  フィン取付部材
５  テーパー芯金
５−１  回し工具用三葉形凹面溝
５−２  フィン用Ｔ形などの溝
５−３  ラグスクリュウとの噛合い雄ねじ
６  テーパー芯金用カバー
６−１  ラグスクリュウとの噛合い雌ネジ
６−２  回し工具用三葉形凹面溝
７  フィン
８  ラグスクリュウ用抜け止めサークリップ
９  ラグスクリュウ回し工具用三葉形凹面溝
１０  ドローバー回し工具用三葉形凹面溝
１１  ドローバー移動用ねじ部
１２  連結ピンなど
【図１】
2014030686.tif 000003
【図２】
2014030686.tif 000004
【図３】
2014030686.tif 000005
【図４】
2014030686.tif 000006
【図５】
2014030686.tif 000007
【図６】
2014030686.tif 000008
【図７】
2014030686.tif 000009